(57)【要約】   【課題】    塩分濃度が高い干潟を緑化する。  【解決手段】本発明に係る干潟の淡水化構造１は、干潟２の陸側に位置する地盤３内に止水壁４を設けてある。干潟２は、塩分濃度が高いために自然に緑化を進めることができない干潟を対象とする。止水壁４は、平板状止水壁４ａ，４ａを水平断面がハの字状をなすように埋設配置して構成してあるとともに、ハの字状の拡がり側が陸側を向き、先細側が干潟２を向くように地盤３内に埋設配置してある。止水壁４は、フレッシュコンクリート、フレッシュモルタル、セメントミルク、ベントナイト等を地盤内で固化させることで構成することが可能であり、例えば薄型止水壁や地中連続壁を地盤３内に構築する公知の技術で構成することができる。  【選択図】  図１
2005282158.tif 000002
【特許請求の範囲】
【請求項１】
干潟の陸側に位置する地盤内に水平断面がハの字状をなす止水壁を該ハの字状の拡がり側が陸側を先細側が前記干潟を向くように配置したことを特徴とする干潟の淡水化構造。
【請求項２】
干潟の陸側に位置する地盤内に両端に開口を有する複数の導水管を該導水管の海側端部が前記干潟を向くようにかつ該干潟から陸側方向に向けて放射状に延びるように配置したことを特徴とする干潟の淡水化構造。
【請求項３】
前記導水管を多孔管で形成した請求項２記載の干潟の淡水化構造。
【請求項４】
干潟の陸側に位置する地盤内に該干潟に対向するように止水壁を設けるとともに、両端に開口を有する導水管を該導水管の陸側端部が前記止水壁に貫入され海側端部が前記干潟を向くように配置したことを特徴とする干潟の淡水化構造。
【請求項５】
干潟の陸側に位置する地盤内に該干潟に対向するように集水溝を設けるとともに該集水溝の海側溝壁を透水自在に構成し、両端に開口を有する導水管を前記集水溝の止水性陸側溝壁に貫通配置することによって該止水性陸側溝壁の背面側領域と前記集水溝内の空間とを連通させたことを特徴とする干潟の淡水化構造。
【請求項６】
前記止水性陸側溝壁の背面側領域から前記集水溝内の空間への流れのみを許容する逆止弁を前記導水管の海側端部に設けた請求項５記載の干潟の淡水化構造。
【発明の詳細な説明】
【技術分野】
【０００１】
本発明は、塩分濃度が高い干潟を緑化する際に用いられる干潟の淡水化構造に関する。
【背景技術】
【０００２】
自然環境の保全や復元を行うため、造成された干潟や自然に存在する干潟に水生植物や野鳥、魚介類などの生育環境を作り出し、良好な水辺の景観をもたらすことが期待されている。
【０００３】
干潟に代表される湿地帯で良好な自然環境を作り出すためには、湿地帯に水生植物を育成することが多いが、干潟はいわゆる汽水域とよばれ、満潮時には塩分濃度が高くなり、干潮時には塩分濃度が低くなる。したがって、かかる湿地帯には、アシなどの耐塩性が高い淡水植物が有効である。
【０００４】
【特許文献１】特開２００３−２３９２４０
【発明の開示】
【発明が解決しようとする課題】
【０００５】
しかしながら、潮の干満による海水の流入と淡水である陸側からの地下水の流入とのバランスによっては、干潟の塩分濃度が常時高くなり、耐塩性が高いアシといえども育成には適さず、そのため、干潟を緑化することができないとともに、結果として上述した水生植物と野鳥などが一体となった生態系を形成することも不可能になるという問題を生じていた。
【０００６】
一方、地下水とは別に水道水を散水する等の対策をとって淡水を供給することはできるが、かかる対処では淡水費用が膨大になり、現実的ではないという別の問題を生じる。
【課題を解決するための手段】
【０００７】
本発明は、上述した事情を考慮してなされたもので、塩分濃度が高い干潟を緑化することが可能な干潟の淡水化構造を提供することを目的とする。
【０００８】
上記目的を達成するため、本発明に係る干潟の淡水化構造は請求項１に記載したように、干潟の陸側に位置する地盤内に水平断面がハの字状をなす止水壁を該ハの字状の拡がり側が陸側を先細側が前記干潟を向くように配置したものである。
【０００９】
また、本発明に係る干潟の淡水化構造は請求項２に記載したように、干潟の陸側に位置する地盤内に両端に開口を有する複数の導水管を該導水管の海側端部が前記干潟を向くようにかつ該干潟から陸側方向に向けて放射状に延びるように配置したものである。
【００１０】
また、本発明に係る干潟の淡水化構造は、前記導水管を多孔管で形成したものである。
【００１１】
また、本発明に係る干潟の淡水化構造は請求項４に記載したように、干潟の陸側に位置する地盤内に該干潟に対向するように止水壁を設けるとともに、両端に開口を有する導水管を該導水管の陸側端部が前記止水壁に貫入され海側端部が前記干潟を向くように配置したものである。
【００１２】
また、本発明に係る干潟の淡水化構造は請求項５に記載したように、干潟の陸側に位置する地盤内に該干潟に対向するように集水溝を設けるとともに該集水溝の海側溝壁を透水自在に構成し、両端に開口を有する導水管を前記集水溝の止水性陸側溝壁に貫通配置することによって該止水性陸側溝壁の背面側領域と前記集水溝内の空間とを連通させたものである。
【００１３】
また、本発明に係る干潟の淡水化構造は、前記止水性陸側溝壁の背面側領域から前記集水溝内の空間への流れのみを許容する逆止弁を前記導水管の海側端部に設けたものである。
【００１４】
請求項１に係る干潟の淡水化構造においては、干潟の陸側に位置する地盤内に水平断面がハの字状をなす止水壁を設けてあり、該止水壁は、ハの字状の拡がり側が陸側を、先細側が干潟を向くように地盤内に埋設配置してある。
【００１５】
このようにすると、地盤内を流れる地下水は、ハの字状の止水壁で案内されながら、その先細側へと誘導され、干潟へと流れ込む。そのため、干潟には十分な淡水が供給されることとなる。
【００１６】
請求項２に係る干潟の淡水化構造においては、干潟の陸側に位置する地盤内に両端に開口を有する複数の導水管を設けてあり、該導水管は、それらの海側端部が干潟を向くようにかつ該干潟から陸側方向に向けて放射状に延びるように埋設配置してある。
【００１７】
このようにすると、地盤内を流れる地下水は、地盤内よりも水圧が低い中空の導水管の陸側端部に流入し、該導水管内を流れた後、導水管の海側端部から流出して干潟へと流れ込む。そのため、干潟には十分な淡水が供給されることとなる。
【００１８】
また、導水管は、それらの海側端部が干潟を向くようにかつ該干潟から陸側方向に向けて放射状に延びるように埋設配置してあるため、陸側の広い範囲から地下水を集水することができる。
【００１９】
ここで、上述した導水管を多孔管で形成したならば、地下水の集水効率はさらに高くなる。
【００２０】
請求項４に係る干潟の淡水化構造においては、干潟の陸側に位置する地盤内に該干潟に対向するように止水壁を設けてあり、該止水壁には、両端に開口を有する導水管の陸側端部を貫入させてある。また、各導水管は、海側端部が干潟を向くように埋設配置してある。
【００２１】
このようにすると、地盤内を流れる地下水は地下ダムと同様、止水壁で囲まれた地盤領域内にいったん貯留され、しかる後、導水管の陸側端部に流入して該導水管内を流れた後、導水管の海側端部から流出して干潟へと流れ込む。そのため、干潟には十分な淡水が供給されることとなる。
【００２２】
請求項５に係る干潟の淡水化構造においては、干潟の陸側に位置する地盤内に該干潟に対向するように集水溝を設けるとともに該集水溝の海側溝壁を透水自在に構成してある。加えて、両端に開口を有する導水管を集水溝の止水性陸側溝壁に貫通配置することによって該止水性陸側溝壁の背面側領域と集水溝内の空間とを連通させてある。
【００２３】
このようにすると、地盤内を流れる地下水は地下ダムと同様、集水溝の止水性陸側溝壁の背面側領域内にいったん貯留され（１次貯留）、しかる後、導水管の陸側端部に流入して該導水管内を流れ、集水溝に貯留される（二次貯留）。そして、集水溝に貯留された地下水は、透水性の海側溝壁から浸透して干潟へと流れ込む。そのため、干潟には十分な淡水が供給されることとなる。
【００２４】
ここで、前記止水性陸側溝壁の背面側領域から前記集水溝内の空間への流れのみを許容する逆止弁を前記導水管の海側端部に設けた場合、満潮時において海水が透水性の海側溝壁から集水溝へ浸出したとしても、かかる海水が導水管を逆流して止水性陸側溝壁の背面側領域に流れ込むおそれはない。
【発明を実施するための最良の形態】
【００２５】
以下、本発明に係る干潟の淡水化構造の実施の形態について、添付図面を参照して説明する。なお、従来技術と実質的に同一の部品等については同一の符号を付してその説明を省略する。
【００２６】
（第１実施形態）
【００２７】
図１は、第１実施形態に係る干潟の淡水化構造を示した平面図及び鉛直断面図である。これらの図でわかるように、本実施形態に係る干潟の淡水化構造１は、干潟２の陸側に位置する地盤３内に止水壁４を設けてある。
【００２８】
干潟２は、塩分濃度が高いために自然に緑化を進めることができない干潟を対象とする。
【００２９】
止水壁４は、平板状止水壁４ａ，４ａを水平断面がハの字状をなすように埋設配置して構成してあるとともに、ハの字状の拡がり側が陸側を向き、先細側が干潟２を向くように地盤３内に埋設配置してある。
【００３０】
止水壁４は、フレッシュコンクリート、フレッシュモルタル、セメントミルク、ベントナイト等を地盤内で固化させることで構成することが可能であり、例えば薄型止水壁や地中連続壁を地盤３内に構築する公知の技術で構成することができる。
【００３１】
本実施形態に係る干潟の淡水化構造１においては、地盤３内を流れる地下水が図１に示すようにハの字状の止水壁４で案内されつつ集水され、さらに該止水壁の先細側へと誘導されて干潟２へと流れ込む。
【００３２】
以上説明したように、本実施形態に係る干潟の淡水化構造１によれば、地盤３内を流れる地下水がハの字状の止水壁４で集水されつつ該止水壁の先細側へと誘導されて干潟２へと流れ込むので、干潟２には十分な淡水が供給される。
【００３３】
すなわち、陸側の地下水を集めて干潟２に淡水を効率的に供給することが可能となり、塩分濃度が高い干潟２であっても、その塩分濃度を低下させて緑化に適した土壌に改質することができる。
【００３４】
（第２実施形態）
【００３５】
次に、第２実施形態について説明する。なお、第１実施形態と同一の部品等については同一の符号を付してその説明を省略する。
【００３６】
図２は、第２実施形態に係る干潟の淡水化構造１１を示した図であり、同図でわかるように本実施形態に係る干潟の淡水化構造１１は、干潟２の陸側に位置する地盤３内に両端に開口が形成された複数の導水管１２を埋設配置してある。
【００３７】
ここで、複数の導水管１２は、一端１３が干潟２を向くように配置してあるとともに、干潟２から陸側方向に向けて放射状に延びるように配置してある。換言すれば、複数の導水管１２は、一端１３が海側端部、他端１４が陸側端部となるように、扇を開いたと同様の平面配置状況で地盤３内に埋設してある。
【００３８】
本実施形態に係る干潟の淡水化構造１１においては、地盤３内を流れる地下水が図２に示すように、地盤３内よりも水圧が低い中空の導水管１２の陸側端部１４に流入し、該導水管内を流れた後、導水管１２の海側端部１３から流出して干潟２へと流れ込む。
【００３９】
以上説明したように、本実施形態に係る干潟の淡水化構造１１によれば、地盤３内を流れる地下水が複数の導水管１２で集水されるとともに、集水された水が該導水管を介して干潟２へと流れ込むので、干潟２には十分な淡水が供給される。
【００４０】
すなわち、陸側の地下水を集めて干潟２に淡水を効率的に供給することが可能となり、塩分濃度が高い干潟２であっても、その塩分濃度を低下させて緑化に適した土壌に改質することができる。
【００４１】
また、本実施形態に係る干潟の淡水化構造１１によれば、導水管１２をそれらの海側端部１３が干潟２を向くようにかつ該干潟から陸側方向に向けて放射状に延びるように埋設配置してあるため、陸側の広い範囲から地下水を集水することが可能となる。
【００４２】
本実施形態では特に言及しなかったが、導水管１２を多孔管で形成したならば、地下水の集水効率をさらに高めることが可能となる。
【００４３】
（第３実施形態）
【００４４】
次に、第３実施形態について説明する。なお、第１，２実施形態と同一の部品等については同一の符号を付してその説明を省略する。
【００４５】
図３は、第３実施形態に係る干潟の淡水化構造２１を示した図であり、同図でわかるように本実施形態に係る干潟の淡水化構造２１は、干潟２の陸側に位置する地盤３内に該干潟に対向するように止水壁２２を設けてあり、該止水壁には、両端に開口を有する導水管２３の陸側端部２４を貫入させてある。また、導水管２３は、海側端部２５が干潟２を向くように埋設配置してある。
【００４６】
止水壁２２は、その背面側の地盤領域２６に貯水が可能となるよう、同図に示すように水平断面がコの字状となるように形成してある。かかる止水壁２２は第１実施形態の止水壁４と同様、フレッシュコンクリート、フレッシュモルタル、セメントミルク、ベントナイト等を地盤内で固化させることで構成することが可能であり、例えば薄型止水壁や地中連続壁を地盤３内に構築する公知の技術で構成することができる。
【００４７】
本実施形態に係る干潟の淡水化構造２１においては、地盤３内を流れる地下水が地下ダムと同様、止水壁２２で囲まれた地盤領域２６内にいったん貯留され、しかる後、導水管２３の陸側端部２４に流入して該導水管内を流れた後、導水管２３の海側端部２５から流出して干潟２へと流れ込む。
【００４８】
以上説明したように、本実施形態に係る干潟の淡水化構造２１によれば、地盤３内を流れる地下水が止水壁２２で囲まれた地盤領域２６内にいったん貯留された後、導水管２３を介して干潟２へと流れ込むので、干潟２には十分な淡水が供給される。
【００４９】
すなわち、陸側の地下水を集めて干潟２に淡水を効率的に供給することが可能となり、塩分濃度が高い干潟２であっても、その塩分濃度を低下させて緑化に適した土壌に改質することができる。
【００５０】
（第４実施形態）
【００５１】
次に、第４実施形態について説明する。なお、上述の各実施形態と同一の部品等については同一の符号を付してその説明を省略する。
【００５２】
図４は、第４実施形態に係る干潟の淡水化構造３１を示した図であり、同図でわかるように本実施形態に係る干潟の淡水化構造３１は、干潟２の陸側に位置する地盤３内に該干潟に対向するように集水溝３２を設けてある。
【００５３】
集水溝３２は例えば、バックホウ等を用いて干潟２を取り囲むように平面湾曲状に形成すればよい。
【００５４】
集水溝３２は、一対の溝壁が対向することになるが、かかる溝壁のうち、海側溝壁３３（干潟２の側の溝壁）は透水性を有しかつ崩落が防止されるように構成してある。かかる海側溝壁は例えば、透水孔が多数形成された鋼矢板を土留めを兼ねて地盤３に打ち込むことで構成することができる。
【００５５】
一方、海側溝壁３３と対向する他方の溝壁は、止水性陸側溝壁３４として構成してあるとともに、両端に開口を有する導水管３５を集水溝３２の止水性陸側溝壁３４に貫通配置することによって、該止水性陸側溝壁の背面側領域３８と集水溝３２内の空間とを連通させてある。
【００５６】
また、導水管３５の海側端部３６には逆止弁３９を設けてあり、該逆止弁は、止水性陸側溝壁３４の背面側領域３８に存在する地下水が陸側端部３７を介して導水管３５に流入し海側端部３６から集水溝３２内の空間へ流れる流れのみを許容するようになっている。
【００５７】
本実施形態に係る干潟の淡水化構造３１においては、地盤３内を流れる地下水が地下ダムと同様、集水溝３２の止水性陸側溝壁３４の背面側領域３８内にいったん貯留され（１次貯留）、しかる後、導水管３５の陸側端部３７に流入して該導水管内を流れ、海側端部３６から集水溝３２に貯留される（二次貯留）。そして、集水溝３２に貯留された地下水は、透水性の海側溝壁３３から浸透して干潟２へと流れ込む。
【００５８】
一方、満潮時において海水が透水性の海側溝壁３３から集水溝３２へ浸出したとしても、止水性陸側溝壁３４においてはその止水機能によって背面側領域３８内に浸入することはないし、導水管３５についても逆止弁３９により、海水が導水管３５を逆流して止水性陸側溝壁３４の背面側領域３８に流れ込むおそれはない。
【００５９】
以上説明したように、本実施形態に係る干潟の淡水化構造３１によれば、地盤３内を流れる地下水が地下ダムと同様、集水溝３２の止水性陸側溝壁３４の背面側領域３８内にいったん貯留された後、導水管３５を介して集水溝３２に貯留され、しかる後、透水性の海側溝壁３３から浸透して干潟２へと流れ込むので、干潟２には十分な淡水が供給される。
【００６０】
すなわち、陸側の地下水を集めて干潟２に淡水を効率的に供給することが可能となり、塩分濃度が高い干潟２であっても、その塩分濃度を低下させて緑化に適した土壌に改質することができる。
【図面の簡単な説明】
【００６１】
【図１】第１実施形態に係る干潟の淡水化構造の図であり、(a)は平面図、(b)は(a)はＡ−Ａ線に沿う鉛直断面図。
【図２】第２実施形態に係る干潟の淡水化構造の図であり、(a)は平面図、(b)は(a)はＢ−Ｂ線に沿う鉛直断面図。
【図３】第３実施形態に係る干潟の淡水化構造の図であり、(a)は平面図、(b)は(a)はＣ−Ｃ線に沿う鉛直断面図。
【図４】第４実施形態に係る干潟の淡水化構造の図であり、(a)は平面図、(b)は(a)はＤ−Ｄ線に沿う鉛直断面図。
【符号の説明】
【００６２】
１，１１，２１，３１          干潟の淡水化構造
２                            干潟
３                            地盤
４，２２                      止水壁
１２，２３                    導水管
３２                          集水溝
３３                          海側溝壁
３４                          止水性陸側溝壁
３５                          導水管
【図１】
2005282158.tif 000003
【図２】
2005282158.tif 000004
【図３】
2005282158.tif 000005
【図４】
2005282158.tif 000006